(57)【要約】      （修正有）【課題】自動車産業用の電気コネクタのかさを小さくすると共にロッキング電気コネクタ用のばねの費用を抑えるために、寸法の小さいねじりばねを備えているロッキング電気コネクタを提供する。【解決手段】本発明は、ロッキング電気コネクタ（１００）の少なくとも１つのハウジング（２００）に取り付けられたばね（３００）を備える、自動車の安全拘束システム用のロッキング電気コネクタ、特に点火コネクタであって、ばねは２つの端部を備える成形ワイヤばねである。２つの端部は、互いに関して軸方向にずれるように前記ハウジングに取り付けられ、ばねの２つの端部のずれによりねじりばねを形成するようになっていることを特徴とする。【選択図】図１
2019165003.tif 000002
【特許請求の範囲】
【請求項１】
ロッキング電気コネクタ（１００）の少なくとも１つのハウジング（２００）に取り付けられたばね（３００）を備える、自動車の安全拘束システム用のロッキング電気コネクタ、特に点火コネクタであって、
前記ばね（３００）は２つの端部（３０７、３０９）を備える成形ワイヤばねであり、前記２つの端部（３０７、３０９）は、互いに関して軸方向にずれるように前記ハウジング（２００）に取り付けられ、
前記ばね（３００）の前記２つの端部（３０７、３０９）のずれによりねじりばね（３００）を形成するようになっている、
ことを特徴とするロッキング電気コネクタ。
【請求項２】
前記ばね（３００）の前記２つの端部（３０７、３０９）は互いに平行に軸方向にずれていることを特徴とする、
請求項１に記載のロッキング電気コネクタ。
【請求項３】
前記ばね（３００）はＵ字形であり、２つの側方部（３０３、３０５）に対して直交する中央部（３０１）を備え、前記２つの側方部（３０３、３０５）の端部（３０７、３０９）は前記２つの側方部（３０３、３０５）に対して直角に折り曲げられるようになっていることを特徴とする、
請求項１または２に記載のロッキング電気コネクタ。
【請求項４】
前記ばね（３００、３１０、３２０）は馬蹄形、Ｖ字形、または円弧状であり、中央部（３０１）と、前記ばね（３００、３１０、３２０）の端部（３０７、３１７、３２７、３０９、３１９、３２９）を有する２つの側方部（３０３、３０５）とを備えるようになっていることを特徴とする、
請求項１または２に記載のロッキング電気コネクタ。
【請求項５】
前記ばね（３００、３１０、３２０）の前記２つの側方部（３０３、３０５）は異なる長さを有する、
請求項３または４に記載のロッキング電気コネクタ。
【請求項６】
前記電気コネクタ（１００）は移動式のコネクタ位置保証要素（５００）をさらに備え、前記コネクタ位置保証要素（５００）により、前記電気コネクタ（１００）が相手側コネクタ（７００）に正しくロックされたときに、前記電気コネクタ（１００）と前記相手側コネクタ（７００）とのロッキングを生じさせることができることを特徴とする、
請求項１から５のいずれか一項に記載のロッキング電気コネクタ。
【請求項７】
前記コネクタ位置保証要素（５００）は、変位を生じさせるように取り付けられ、前記変位の方向は前記ばね（３００）の前記２つの端部（３０７、３０９）のずれと同じ方向であることを特徴とする、
請求項６に記載のロッキング電気コネクタ。
【請求項８】
前記コネクタ位置保証要素（５００）は前記ばね（３００）に接触して、
第１の位置で、前記電気コネクタ（１００）に相手側コネクタ（７００）がないか、前記電気コネクタ（１００）が相手側コネクタ（７００）に正しくロックされ、
前記電気コネクタ（１００）が相手側コネクタ（７００）に接続されるがロックされない位置に対応する第２の位置で、前記コネクタ（１００）を前記相手側コネクタ（７００）に接続する接続方向（１）へ前記コネクタ位置保証要素（５００）に力を及ぼすように前記ばね（３００）に荷重を加えることにより、前記コネクタ位置保証要素（５００）の接続が完了したときに、前記コネクタ位置保証要素（５００）を前記第１の位置にすることができることを特徴とする、
請求項６または７に記載のロッキング電気コネクタ。
【請求項９】
前記第１の位置で、前記ばね（３００）は予荷重状態にあって、前記コネクタ（１００）を前記相手側コネクタ（７００）に接続する接続方向（１）へ前記コネクタ位置保証要素（５００）に力を及ぼすようになっていることを特徴とする、
請求項８に記載のロッキング電気コネクタ。
【請求項１０】
前記電気コネクタ（１００）が相手側コネクタ（７００）に正しくロックされたときに、前記コネクタ位置保証要素（５００）は、前記相手側コネクタ（７００）との形状の相補性により閉鎖されることを特徴とする、
請求項６から９のいずれか一項に記載のロッキング電気コネクタ。
【請求項１１】
前記コネクタ位置保証要素（５００）は、前記ばね（３００）を収容するように構成されている溝（５１１、５１３）を備えていることを特徴とする、
請求項６から１０のいずれか一項に記載のロッキング電気コネクタ。
【請求項１２】
ずれて前記ばね（３００）の前記２つの端部（３０７、３０９）を受けるように構成されている２つの凹部（２０５ａ、２０５ｂ）または２つの孔を備えていることを特徴とする、
請求項１から１１のいずれか一項に記載のロッキング電気コネクタ用のハウジング（２００）。
【発明の詳細な説明】
【技術分野】
【０００１】
本発明は、相手側コネクタとの接続不良を自動的に防止することのできる、プラグ着脱可能な接続のためのロッキング電気コネクタ、特にパイロテクニックコネクタまたは点火コネクタに関する。
【背景技術】
【０００２】
特に自動車産業用の電気接続の分野において、ばねロッキングシステムを備えるコネクタを使用することが知られている。ばねは、コネクタを相手側コネクタに接続しようとするときに、コネクタおよび／または相手側コネクタに加えられる力が正しいプラグ接続を生じさせるのに不十分であれば相手側コネクタを押し戻すように、コネクタに配置される。
【０００３】
そのようなコネクタにおいては、相手側コネクタに接続しようとする前にばねに応力が加えられていないか、または予荷重が加えられており、相手側コネクタに接続しようとしている間、荷重が加えられることが知られている。したがって、２つの嵌合するコネクタを接続するために加えられる力が２つの嵌合するコネクタを互いにロックすることを可能にするには不十分である場合、ばね荷重により相手側コネクタを接続方向と反対方向に押し戻して、接続不良の可能性を回避する。
【０００４】
これらのばねロッキングシステムは、通常、先行技術のフランス国特許出願公開ＦＲ３０１３９１１Ａ１およびフランス国特許出願公開ＦＲ３０１３９１２Ａ１に記載された少なくとも１つのコイル型ばねを備える。パイロテクニックコネクタまたは点火コネクタなどの電気コネクタ用のばねの所望の機能を得るために、巻数の多い１つまたは複数のばねを使用することが知られている。したがって、電気コネクタは、このような巻きを有するばねを収容するのに必要な空間を含むハウジングを備えていなければならない。
【０００５】
しかしながら、電気コネクタ、特に自動車のエアバッグ点火システム用のコネクタの小型化を進めるためには、ロッキング電気コネクタにおいてばねが占める空間を小さくする必要がある。
【０００６】
先行技術のフランス国特許出願公開ＦＲ３０１０８４１Ａ１は、１つまたは複数のコイルねじりばねを使用するのではなく、特殊形状ワイヤばねまたは形状ワイヤばねとも呼ばれる成形ワイヤ曲げばねを使用することにより、ロッキング電気コネクタのかさを小さくし、費用を抑えることを提案している。
【先行技術文献】
【特許文献】
【０００７】
【特許文献１】フランス国特許出願公開ＦＲ３０１３９１１Ａ１
【特許文献２】フランス国特許出願公開ＦＲ３０１３９１２Ａ１
【特許文献３】フランス国特許出願公開ＦＲ３０１０８４１Ａ１
【発明の概要】
【発明が解決しようとする課題】
【０００８】
本発明の目的は、自動車産業用の電気コネクタのかさを小さくすると共にロッキング電気コネクタ用のばねの費用を抑えるために、寸法の小さいねじりばねを備えているロッキング電気コネクタを提供することである。
【課題を解決するための手段】
【０００９】
本発明の目的は、ロッキング電気コネクタの少なくとも１つのハウジングに取り付けられたばねを備える、自動車の安全拘束システム用のロッキング電気コネクタ、特に点火コネクタであって、ばねは２つの端部を備える成形ワイヤばねであり、この２つの端部は、互いに関して軸方向にずれるようにハウジングに取り付けられ、ばねの２つの端部のずれによりねじりばねを形成するようになっていることを特徴とするロッキング電気コネクタによって達成される。これにより、巻きはないが、端部のずれによりねじりばねのように動作するようコネクタのハウジングに取り付けられる成形ワイヤばねを使用することによって、ねじりばねロッキングコネクタのかさを小さくすることができる。したがって、コネクタが互いに正しくロックされていなければ、成形ワイヤねじりばねにより、相手側コネクタの排出に必要な反発力をもたらすことができる。
【００１０】
本発明を、以下の実施形態によりさらに改良することができる。
【００１１】
本発明の別の実施形態によれば、ばねの２つの端部は互いに平行に軸方向にずれていてもよい。
【００１２】
本発明の別の実施形態によれば、ばねはＵ字形であり、２つの側方部に対して直交する中央部を備え、この２つの側方部の端部を２つの側方部に対して直角に折り曲げることができるようになっていてもよい。代替実施形態において、ばねは馬蹄形、Ｖ字形、または円弧状であり、中央部と、ばねの端部を有する２つの側方部とを備えるようになっていてもよい。したがって、本発明を、簡単な設計を有し、したがって製造が容易な単一のばねを備える電気コネクタにより実施することができる。したがって、本発明により、部品数を減らすことができ、そのような電気コネクタを組み立てる動作が容易になる。
【００１３】
本発明の別の実施形態によれば、ばねの２つの側方部は異なる長さを有していてもよい。したがって、ばねの２つの側方部の長さの差により、ねじりばねを形成するのに必要なばねの２つの端部間のずれがもたらされる。
【００１４】
本発明の別の実施形態によれば、電気コネクタは、移動式のコネクタ位置保証要素（ＣＰＡ要素として知られる）をさらに備えていてもよく、このコネクタ位置保証要素により、電気コネクタが相手側コネクタに正しくロックされたときに、電気コネクタと相手側コネクタとのロッキングを生じさせることができる。したがって、本発明により、ばねロッキングの原理とコネクタ位置保証要素とを有利に組み合わせることができる。
【００１５】
本発明の別の実施形態によれば、コネクタ位置保証要素を、変位を生じさせるように取り付けることができ、この変位の方向はばねの２つの端部のずれと同じ方向である。したがって、ばねを平衡に戻す傾向があり、ばねの平衡位置に向けられるばねの戻り力を、コネクタ位置保証要素の変位により最大化することができる。
【００１６】
本発明の別の実施形態によれば、コネクタ位置保証要素はばねに接触して、第１の位置で、電気コネクタに相手側コネクタがないか、電気コネクタが相手側コネクタに正しくロックされ、電気コネクタが相手側コネクタに接続されるがロックされない位置に対応する第２の位置で、コネクタを相手側コネクタに接続する接続方向へコネクタ位置保証要素に力を及ぼすようにばねに荷重を加えることにより、コネクタ位置保証要素の接続が完了したときに、コネクタ位置保証要素を第１の位置にすることができる。したがって、コネクタ位置保証要素により、コネクタを相手側コネクタに接続する接近段階中にばねに荷重を加えることができ、電気コネクタが相手側コネクタに正しく接続されたときに電気コネクタのロッキングを維持することもできる。
ばねが荷重状態にある第２の位置では、ばねによって蓄えられる機械的エネルギー、特にポテンシャルエネルギーにより、コネクタが相手側コネクタに不十分に挿入されているとき、または完全に接続されていないときに、コネクタの自動排出を可能にする力を及ぼす。
【００１７】
本発明の別の実施形態によれば、第１の位置で、ばねは予荷重状態にあって、コネクタを相手側コネクタに接続する接続方向へコネクタ位置保証要素に力を及ぼすようになっていてもよい。このばねの予荷重状態により、コネクタ位置保証要素の位置決めを確実に行うことができ、特に振動および／または衝撃を受ける環境において、その位置決めを維持することができる。
【００１８】
本発明の別の実施形態によれば、電気コネクタが相手側コネクタに正しくロックされたときに、コネクタ位置保証要素を、相手側コネクタとの形状の相補性により閉鎖することができる。コネクタ位置保証要素の弾性変形により可能になるコネクタ位置保証要素の閉鎖によって、電気コネクタと相手側コネクタとが正しく接続されたときに、電気コネクタを相手側コネクタに確実にロックする。
【００１９】
本発明の別の実施形態によれば、コネクタ位置保証要素は、ばねを収容するように構成されている溝を備えていてもよい。これらの溝によって、特に振動および／または衝撃を受ける環境において、コネクタ位置保証要素によりばねの側方部を確実に掴んで保持する。
【００２０】
本発明の目的はまた、ずれてばねの２つの端部を受けるように構成されている２つの凹部または２つの孔を備えていることを特徴とする、ロッキング電気コネクタ用のハウジングによって達成される。これにより、巻きはないが、ばねの端部を受ける凹部のずれによりねじりばねのように動作するようコネクタのハウジングに取り付けられる成形ワイヤばねを使用することによって、ねじりばねロッキングコネクタのかさを小さくすることができる。したがって、コネクタが互いに正しくロックされていなければ、成形ワイヤねじりばねにより、相手側コネクタの排出に必要な反発力をもたらすことができる。
【００２１】
前述した実施形態を組み合わせて、本発明のさらに有利な実施形態の変形形態を形成することができる。
【００２２】
好ましい実施形態を用い、特に以下の添付図面に基づいて、本発明およびその利点についてさらに詳細に説明する。
【図面の簡単な説明】
【００２３】
【図１】本発明による電気コネクタの概略部分分解図である。
【図２】本発明の第１の実施形態によるロッキング電気コネクタ用のばねの概略図である。
【図３】本発明の第２の実施形態によるロッキング電気コネクタ用のばねの概略図である。
【図４】本発明の第３の実施形態によるロッキング電気コネクタ用のばねの概略図である。
【図５】本発明の第１の実施形態によるロッキング電気コネクタのハウジングの概略図である。
【図５ａ】本発明の第１の実施形態によるロッキング電気コネクタのハウジングの概略図である。
【図６】本発明の別の実施形態によるロッキング電気コネクタのハウジングの概略図である。
【図６ａ】本発明の別の実施形態によるロッキング電気コネクタのハウジングの概略図である。
【図７】ばねに応力が加えられていない、または予荷重が加えられている、第１の位置における電気コネクタの概略図である。
【図８】ばねに荷重が加えられている第２の位置における電気コネクタの概略図である。
【図９】相手側コネクタに接続されロックされている電気コネクタの概略図である。
【発明を実施するための形態】
【００２４】
図１は、本発明によるロッキング電気コネクタ１００の部分分解図である。本実施形態では、コネクタ１００は、相手側コネクタ（図示せず）に接続可能な自動車用エアバッグ点火システムのコネクタである。ロッキング電気コネクタ１００は、相手側コネクタに不十分に挿入されているとき、または完全には接続されていないときに、自動的に排出（eject）されるように構成されている。
【００２５】
図示しない他の実施形態では、コネクタ１００は別のタイプのコネクタであってもよい。
【００２６】
図１に示すロッキング電気コネクタ１００はハウジング２００を備え、ハウジング２００は、相手側コネクタに接続するように構成されている円筒形部２０３に対して略直交する主部２０１を有する。
【００２７】
ハウジング２００の主部２０１は、主部２０１の各側方面２０７ａ、２０４ｂに円形の２つの凹部または２つの孔２０５ａ、２０５ｂ（図１では参照符号２０５ａのみが見える）をそれぞれ備える。凹部または孔２０５ａ、２０５ｂは、図２でさらに説明するばね３００の端部を受けるように構成されている。ハウジング２００の主部２０１は、フィルタリングフェライト４０１を受けるのに適したキャビティ２０９をさらに備え、端子４０７、４０９をそれぞれ備える２つの導電体４０３、４０５がこのフィルタリングフェライト４０１を貫通する。
【００２８】
ハウジング２００の円筒形接続部２０３は、端子４０７、４０９を受けるように構成されている２つのケーシング２１１、２１３を備える。
【００２９】
図１に示す電気コネクタ１００は、移動式のコネクタ位置保証要素５００（ＣＰＡ要素として知られる）をさらに備え、このコネクタ位置保証要素５００により、電気コネクタ１００が相手側コネクタに正しくロックされたときに、電気コネクタ１００と相手側コネクタとのロッキングを生じさせることができる。ＣＰＡ５００はコンタクト面５０１を備え、少なくとも２つのロッキングプロング５０３、５０５がこのコンタクト面５０１から延びる。ＣＰＡ５００のコンタクト面５０１は、コンタクト面５０１と同じ面で延びる２つの翼部５０７、５０９を両側に備える。翼部５０７、５０９とコンタクト面５０１とのそれぞれの接合部は、ばね３００を受けるような寸法を有する溝５１１、５１３である。
ＣＰＡ５００の２つの翼部５０７、５０９は、上面として知られる２つの面５１５、５１７を備え、これらは下面として知られる２つの面５１９、５２１の反対側にあり、上面５１５、５１７がコネクタ１００のカバー６００に面し、下面５１９、５５１がハウジング２００の主部２０１に面するようになっている。
【００３０】
図１に示す電気コネクタ１００はまた、絶縁材料、特にプラスチック材料から形成されたカバー６００を備える。
【００３１】
図２は、本発明の第１の実施形態による、図１に示すロッキング電気コネクタ１００用のばね３００の概略図である。
【００３２】
図２に示すばね３００は、成形ワイヤ、特に丸形ワイヤである。本発明の他の実施形態において、ばねを、フラットワイヤとして、矩形断面を有するワイヤとして、または方形断面を有するワイヤとして成形してもよい。ばね３００はＵ字形で、２つの側方部３０３、３０５に対して直交する中央部３０１を備え、２つの側方部３０３、３０５の端部３０７、３０９が２つの側方部３０３、３０５に対して直角に折り曲げられている。図２に示す第１の実施形態において、２つの側方部３０３、３０５は、ｌ３０３＝ｌ３０５のように同じ長さを有する。しかしながら、本発明の別の実施形態において、２つの側方部３０３、３０５は、ｌ３０３＞ｌ３０５またはｌ３０３＜ｌ３０５のように異なる長さを有していてもよい。
【００３３】
ばね３００には巻きがないため、ロッキング電気コネクタ１００がさらに小型化される。さらに、ばね３００に巻きがなくても、ばね３００は、コネクタが互いに正しくロックされていなければ、ばね３００の形状および取付けにより、相手側コネクタの排出を可能にする十分な力をもたらすことができる。実際には、ばね３００の端部３０７、３０９の軸Ａ、Ｂがずれているため、成形ワイヤばね３００はねじりばねのように動作することができる。
【００３４】
図２に示すように、軸Ａ、Ｂは互いに平行であるが互いに合流しない。したがって、ばね３００の２つの端部３０７、３０９は、互いに平行に軸方向にずれている。ばね３００の２つの端部３０７、３０９のずれにより、ねじりばねを形成することができる。ばね３００の端部３０７、３０９を収容する凹部２０５ａ、２０５ｂまたは孔のずれについては、図５、図５ａ、図６、図６ａでさらに説明する。
【００３５】
本発明の別の実施形態において、ばね３００の２つの側方部３０３、３０５のｌ３０３≠ｌ３０５のような長さｌ３０３、ｌ３０５の差により、ばね３００の２つの端部３０７、３０９間に必要なずれをもたらして、ねじりばねを形成することができる。
【００３６】
図３に示す本発明の第２の実施形態において、ばね３１０が略Ｖ字形であり、ばね３１０の端部３１７、３１９が互いに平行に軸方向にずれて、ばね３１０がねじりばねのように動作するようになっている。
【００３７】
図４に示す本発明の第３の実施形態において、ばね３２０が馬蹄形または円弧状であり、ばね３２０の端部３２７、３２９が互いに平行に軸方向にずれて、ばね３２０がねじりばねのように動作するようになっている。
【００３８】
図５および図５ａは、図１に示す本発明の第１の実施形態によるロッキング電気コネクタ１００のハウジング２００の概略図である。図１および図２の説明で使用したものと同一の参照符号を有する要素については再び詳細に説明しないため、上記の説明を参照されたい。
【００３９】
図５は、側方面２０７ａを示すようにハウジング２００の側面の一部を示す。図５ａは、２つの側方面２０７ａ、２０７ｂが見える概略断面図である。
【００４０】
円形凹部２０５ａは軸Ｃを備え、凹部２０５ｂは軸Ｄを備える。図５および図５ａは、ばね３００の端部３０７、３０９が取り付けられるようになっている凹部２０５ａ、２０５ｂ（変形形態においては孔であってもよい）のずれを示す。したがって、凹部２０５ａ、２０５ｂの軸Ｃ、Ｄは互いに関して軸方向にずれている。
【００４１】
本発明の第１の実施形態において、凹部２０５ａ、２０５ｂの軸Ｃ、Ｄは互いに平行に軸方向にずれている。しかしながら、本発明の変形形態において、軸Ｃ、Ｄは、軸Ｃ、Ｄによって形成される１８０°ではない所定の角度だけずれていてもよい。
【００４２】
ハウジング２０１の凹部２０５ａ、２０５ｂおよびばね３００の端部３０７、３０９は、特にばね３００の端部３０７が凹部２０５ａに回転固定して取り付けられ、ばね３００の端部３０９が凹部２０５ｂに回転固定して取り付けられるように移動式に組み付けられるような寸法を有する。したがって、ばね３００がハウジング２００に組み付けられると、ばね３００の端部３０７の軸Ａがハウジング２００の凹部２０５ａの軸Ｃに合流し、ばね３００の端部３０９の軸Ｂが凹部２０５ｂの軸Ｄに合流する。
【００４３】
図６および図６ａは、ばね３００の２つの側方部３０３、３０５がｌ３０３＞ｌ３０５のような異なる長さを有する、本発明の別の実施形態によるロッキング電気コネクタ１００のハウジング２００の概略図である。
【００４４】
凹部２０５ａ、２０５ｂの軸Ｃ、Ｄは、互いに平行に軸方向にずれて、軸Ｃ、Ｄ間のずれがばね３００の側方部３０３、３０５の長さｌ３０３、ｌ３０５のずれに対応するようになっている。
【００４５】
図７および図８は、第１の位置および第２の位置における電気コネクタ１００をそれぞれ示す。図１〜図６の説明で使用したものと同一の参照符号を有する要素については再び詳細に説明しないため、上記の説明を参照されたい。
【００４６】
コネクタ１００に嵌合するコネクタおよびカバー６００は、図７および図８には示さない。
【００４７】
図７および図８に示す第１の位置および第２の位置において、フィルタリングフェライト４０１がハウジング２００のキャビティ２０９に収容され、導電体４０３、４０５の端子４０７、４０９がハウジング２００の意図したケーシング２１１、２１３に挿入されている。
【００４８】
図７は、ばね３００に応力が加えられていない、または予荷重が加えられている、第１の位置における電気コネクタ１００の概略図である。
【００４９】
この第１の位置で、ＣＰＡデバイス５００は、円筒形部２０３においてハウジング２００に完全に挿入されて、ＣＰＡ５００の２つの翼部５０７、５０９の下面５１９、５２１がハウジング２００の主部２０１に直接接触しているため、いわゆる下方位置にある。一方、ばね３００は平坦に位置決めされ、その側方部３０３、３０５はＣＰＡデバイス５００の溝５１１、５１３に収容される。
【００５０】
図７に示すように、第１の位置が、電気コネクタ１００に相手側コネクタのない位置に対応するとき、ばね３００は応力が加えられていない状態にあり、すなわち、ばね３００はその平衡位置にあるか、略平衡位置にある。
【００５１】
本発明の別の実施形態において、第１の位置におけるばね３００は、いわゆる予荷重状態であってもよい。この場合、ばね３００は、ＣＰＡ５００の溝５１１、５１３においてＣＰＡデバイス５００に置かれて、矢印１に示す接続方向へコネクタ位置保証要素５００に力を及ぼす。このばね３００の予荷重状態により、コネクタ位置保証要素５００の位置決めを確実に行うことができ、特に振動および／または衝撃を受ける環境において、その位置決めを維持することができる。
【００５２】
図７に示す第１の位置は、電気コネクタが相手側コネクタに正しくロックされる位置にも対応する。実際には、ＣＰＡデバイス５００が、形状の相補性により相手側コネクタにロックされるように十分に完全に挿入されると、ばね３００は、図９に示すように応力が加えられていない状態、すなわち第１の位置に戻る。
【００５３】
図８は、ばね３００に荷重が加えられている第２の位置における電気コネクタ１００の概略図である。図８は、特に、コネクタ１００と相手側コネクタ（図示せず）との接続が開始されているが、完全に終了していない段階を示す。
【００５４】
差込み動作中、接続部２０３に位置するＣＰＡデバイス５００は、相手側コネクタにより、矢印２で示す、接続と反対の方向へカバー６００（図８には示さず、図１参照）に向かってハウジング２００の主部２０１に押し込まれる。矢印２で示す方向は、ばね３００の２つの端部３０７、３０９のずれの方向にも対応する。したがって、ばね３００の２つの端部３０７、３０９のずれと同じ方向で、コネクタ位置保証要素５００の変位が行われる。
【００５５】
変位中、ＣＰＡデバイス５００は、ばね３００の側方部３０３、３０５を溝５１１、５１３により弾性的に押す。このように応力を加えると、端部３０７、３０９がずれているばね３００は、ねじりばねのように動作する。この荷重状態において、ねじりばね３００は、矢印１に示すコネクタ１００の接続方向へＣＰＡデバイス５００に力を及ぼす。
【００５６】
接続動作を継続しない場合、または２つのコネクタを接続するために及ぼす力が電気コネクタ１００をその相手側コネクタにロックするのに十分でない場合、ＣＰＡデバイス５００のロッキングプロング５０３、５０５は、ＣＰＡデバイス５００を相手側コネクタに完全に挿入できるように相手側コネクタにより曲げられることがない。そのため、相手側コネクタは、ねじりばね３００の荷重の作用下で、ＣＰＡデバイス５００により方向１に自動的に排出される。したがって、不完全または不正しい接続が防止される。
【００５７】
逆に、２つのコネクタを接続するために及ぼす力が電気コネクタ１００をその相手側コネクタにロックするのに十分である場合、ＣＰＡデバイス５００は、相手側コネクタによりハウジング２００の主部２０１内へ最大限に押し戻される。方向２への変位中、ばね３００がその平衡位置から変位しているため、ＣＰＡデバイス５００がばね３００の荷重を支える。その後、荷重を加えられたばね３００は、相手側コネクタにより押されたＣＰＡ５００の変位とは反対の接続方向１へＣＰＡデバイス５００に力を及ぼして、その平衡位置に向かって戻る。コネクタが互いに接続されロックされると、ＣＰＡデバイス５００のロッキングプロング５０３、５０５は相手側コネクタにより曲げられる。その後、ＣＰＡデバイス５００を、荷重を加えられたねじりばね３００が及ぼす圧力下において、ハウジング２００の接続部２０３で相手側コネクタに完全に挿入することができる。
したがって、電気コネクタ１００は相手側コネクタに正しくロックされ、コネクタ位置保証要素５００は相手側コネクタとの形状の相補性により閉鎖される。その後、ばね３００は、図７および図９に示し記載する第１の位置に対応する、応力が加えられていない状態または予荷重状態に戻る。
【００５８】
図９は、相手側コネクタに接続されロックされたときの第１の位置における電気コネクタ１００を示す。図１〜図８の説明で使用したものと同一の参照符号を有する要素については再び詳細に説明しないため、上記の説明を参照されたい。
【００５９】
図９において、電気コネクタ１００は相手側コネクタ７００に正しくロックされている。ＣＰＡデバイス５００は、形状の相補性により相手側コネクタ７００にロックされるように十分に挿入されている。ばね３００は応力が加えられていない状態にあり、図７に記載の第１の位置にある。
【符号の説明】
【００６０】
１  接続方向
２  接続と反対の方向
１００  電気コネクタ
２００  ハウジング
２０１  主部
２０３  接続部／円筒形部
２０５ａ、２０５ｂ  凹部または孔
２０７ａ、２０７ｂ  側方面
２０９  キャビティ
２１１  ケーシング
２１３  ケーシング
Ｃ、Ｄ  軸
３００、３１０、３２０  ばね
３０１  中央部
３０３  側方部
３０５  側方部
３０７、３１７、３２７  端部
３０９、３１９、３２９  端部
Ａ、Ｂ  軸
ｌ３０３、ｌ３０５  長さ
４０１  フィルタリングフェライト
４０３  導電体
４０５  導電体
４０７  端子
４０９  端子
５００  コネクタ位置保証要素（ＣＰＡ）
５０１  コンタクト面
５０３  ロッキングプロング
５０５  ロッキングプロング
５０７  翼部
５０９  翼部
５１１  溝
５１３  溝
５１５  上面
５１７  上面
５１９  下面
５２１  下面
６００  カバー
７００  相手側コネクタ
【図１】
2019165003.tif 000003
【図２】
2019165003.tif 000004
【図３】
2019165003.tif 000005
【図４】
2019165003.tif 000006
【図５】
2019165003.tif 000007
【図５ａ】
2019165003.tif 000008
【図６】
2019165003.tif 000009
【図６ａ】
2019165003.tif 000010
【図７】
2019165003.tif 000011
【図８】
2019165003.tif 000012
【図９】
2019165003.tif 000013
【外国語明細書】
2019165003000001.pdf